(57)【要約】【課題】建設機械のコンソールボックスに於て、操作レバーの操作性の向上を図ると共に、誤操作を防ぎ安全性を向上させる。【解決手段】本発明は建設機械の運転席２の側部に設置され、複数の操作レバー９，９，９，１０，１１，１１が配置されたコンソールボックス７に於て、該コンソールボックス７に該コンソールボックス７を摺動させるためのスライド機構８を設けると共に、前記操作レバー９，９，９，１０，１１，１１のノブ９ａ，９ａ，９ａ，１０ａ，１１ａ，１１ａに該スライド機構８を作動させるためのコンソールスライドスイッチ９ｂ，９ｂ，９ｂ，１０ｂ，１１ｂ，１１ｂを配設し、該コンソールスライドスイッチ９ｂ，９ｂ，９ｂ，１０ｂ，１１ｂ，１１ｂを操作して、前記コンソールボックス７を摺動させ、前記操作レバー９，９，９，１０，１１，１１を所定の操作位置に移動させるように構成した建設機械のコンソールボックスを提供する。【選択図】　図１
2004026440.tif 000002
【特許請求の範囲】
【請求項１】
建設機械の運転席の側部に設置され、複数の操作レバーが配置されたコンソールボックスに於て、該コンソールボックスに該コンソールボックスを摺動させるためのスライド機構を設けると共に、前記操作レバーのノブに該スライド機構を作動させるためのコンソールスライドスイッチを配設し、該コンソールスライドスイッチを操作して、前記コンソールボックスを摺動させ、前記操作レバーを所定の操作位置に移動させるように構成したことを特徴とする建設機械のコンソールボックス。
【請求項２】
上記コンソールボックスの前後移動の最適位置を調整する中立位置設定スイッチを該コンソールボックスに設けたことを特徴とする請求項１記載の建設機械のコンソールボックス。
【請求項３】
建設機械の運転席の側部に設置され、複数の操作レバーが配置されたコンソールボックスに於て、前記複数の操作レバーのノブ形状を各別に、又は、選択的に、或いは、グループ別に異なった形状に構成したことを特徴とする建設機械のコンソールボックス。
【発明の詳細な説明】
【０００１】
【発明の属する技術分野】
この発明は、建設機械のコンソールボックスに関するものであり、特に、クローラクレーン等の運転席の側部に設置されたコンソールボックスに配置される操作レバーの操作性及び安全性を向上させた建設機械のコンソールボックスに関するものである。
【０００２】
【従来の技術及び発明が解決しようとする課題】
従来のクローラクレーンは、クローラ式の走行装置の上部に、運転室、巻上げ装置、ブーム起伏装置、旋回装置等が架装され、それらの動力はディーゼルエンジンで駆動される油圧ポンプから各作業装置の油圧モータに伝達される。
【０００３】
このようなクローラクレーンは種々のアタッチメントを付け替えることで、種々の作業をすることができる。例えば、クローラクレーンによるクレーン作業を行う態様で、フックで荷物の吊上げ又は吊下げを行う場合、又は、タワークレーンとしてタワー作業を行う場合、或いは、掘削用バケットを取付けて地面掘削作業を行う場合等、種々の作業が行われる。
【０００４】
このようなクローラクレーンによる種々のクレーン作業を行うに当り、従来のクレーンの操作レバーはフロアーレバー方式で運転席の前方に操作レバーが並べられ、その配置はクレーン作業を標準に設定されている。このため、タワー作業では操作者が運転席にもたれかかり、上方を見上げるので操作レバーが遠くなり、地面掘削作業では機械の前方を見るため体を乗り出すので操作レバーに接近しすぎる状態となる。
【０００５】
そこで、前記フロアーレバー方式に代えて操作レバーを配置したコンソールボックスを運転席の側部に配置したものが知られており、該コンソールボックスを図６に従って説明する。図６（ａ）に於て、１はクローラクレーン等のコンソールボックスであり、該コンソールボックス１は運転席２の側部に設置され、同図（ｂ）に示すように、該コンソールボックス１の上面の前段（図に於て右側）に、例えば、ブーム起伏用、第１ウインチ用及び第２ウインチ用に用いる３本の操作レバー３，３，３が立設する如く配設され、続けて、中段に、例えば、第３ウインチ用の１本の操作レバー４、後段に、例えば、走行用の２本の操作レバー５，５が配設されている。
【０００６】
而して、運転者６は作業の種類に応じて前記操作レバー３，３，３，４，５，５の中から必要な操作レバーを選択して操作する。その時、前記コンソールボックス１は運転席２の側部に設置されているため、運転者６は腕の角度を変えることによって前記前段の操作レバー３，３，３、前記中段の操作レバー４及び後段の操作レバー５，５を自由に選択して操作することができ、前記フロアーレバー方式に比較して、操作レバー３，３，３，４，５，５の操作性は向上する。
【０００７】
然しながら、前記操作レバー３，３，３，４，５，５は夫々運転者６から異なる位置にあり、運転者６は腕の角度を変えることによって前記操作レバー３，３，３，４，５，５を自由に操作することができるが、腕の角度も操作に適した角度がある等、運転者６にとって全ての操作レバー３，３，３，４，５，５が最適な操作位置にあるわけではなく、操作しにくい操作レバーも存在する。
【０００８】
又、前記操作レバー３，３，３，４，５，５のノブ３ａ，３ａ，３ａ，４ａ，５ａ，５ａは略同様な形状をしているため、操作レバーを持ち変える際、誤操作の危険があり、或いは、操作レバーを確認するため運転者が前方から視線をそらして手元を見る場合があり、作業上、極めて危険である。
【０００９】
そこで、建設機械のコンソールボックスに於て、操作レバーの操作性の向上を図ると共に、誤操作を防ぎ安全性を向上させるために解決すべき技術的課題が生じてくるのであり、本発明はこの課題を解決することを目的とする。
【００１０】
【課題を解決するための手段】
本発明は上記目的を達成するために提案されたものであり、建設機械の運転席の側部に設置され、複数の操作レバーが配置されたコンソールボックスに於て、該コンソールボックスに該コンソールボックスを摺動させるためのスライド機構を設けると共に、前記操作レバーのノブに該スライド機構を作動させるためのコンソールスライドスイッチを配設し、該コンソールスライドスイッチを操作して、前記コンソールボックスを摺動させ、前記操作レバーを所定の操作位置に移動させるように構成した建設機械のコンソールボックス、
及び、上記コンソールボックスの前後移動の最適位置を調整する中立位置設定スイッチを該コンソールボックスに設けた建設機械のコンソールボックス、
並びに、建設機械の運転席の側部に設置され、複数の操作レバーが配置されたコンソールボックスに於て、前記複数の操作レバーのノブ形状を各別に、又は、選択的に、或いは、グループ別に異なった形状に構成した建設機械のコンソールボックスを提供するものである。
【００１１】
【発明の実施の形態】
以下、本発明の一実施の形態を図１乃至図５に従って詳述する。尚、説明の都合上、従来例と同一構成部分については同一符号を付してその説明を省略する。
【００１２】
先ず、請求項１記載の発明について説明する。図１（ａ）に於て、７はコンソールボックスであり、該コンソールボックス７はコンソールボックス本体７ａに該コンソールボックス本体７ａを前後（図に於て左右）に摺動させるためのスライド機構８が設けられると共に、該スライド機構８を作動させるため、同図（ｂ）にも拡大して例示する如く、コンソールスライドスイッチ９ｂ，９ｂ，９ｂ，１０ｂ，１１ｂ，１１ｂが操作レバー９，９，９，１０，１１，１１のノブ９ａ，９ａ，９ａ，１０ａ，１１ａ，１１ａに配設されている。
【００１３】
そして、前記スライド機構８は前記コンソールボックス本体７ａの下方に設けられた、該コンソールボックス本体７ａを摺動させるためのスライドレール１２と、該コンソールボックス本体７ａの後方に設置され、該コンソールボックス本体７ａにロッド１３ａが接続された電動シリンダ１３とを備えている。
【００１４】
而して、図２（ａ）に示す如く、前段の操作レバー９，９，９が運転者６の操作位置になるように前記コンソールボックス７の位置が保持された状態に於て、例えば、運転者６が中段の操作レバー１０のコンソールスライドスイッチ１０ｂを操作すると、該コンソールスライドスイッチ１０ｂの信号により前記電動シリンダ１３が作動し、該電動シリンダ１３の作動によって前記コンソールボックス本体７ａが前記スライドレール１２上を摺動し、同図（ｂ）に示す如く、前記中段の操作レバー１０が運転者６の操作位置になるように移動する。
【００１５】
尚、前記コンソールボックス本体７ａは図示しない制御装置によって自動的に設定位置に摺動するが、これに代えて、前記コンソールスライドスイッチ１０ｂを押し続けることによって設定位置まで摺動させるように構成することも可能である。そして、この場合に、前進又は後進の選択は、例えば、前記コンソールスライドスイッチ１０ｂを１回又は２回押して選択する、或いは、該コンソールスライドスイッチ１０ｂを浅く押す又は深く押すことにより選択する等、種々の方法が考えられる。
【００１６】
同様に、後段の前記操作レバー１１のコンソールスライドスイッチ１１ｂを操作した場合は該操作レバー１１，１１が運転者６の操作位置になるように前記コンソールボックス本体７ａが移動する。
【００１７】
更に、前記コンソールボックス本体７ａが移動した後、前記前段の操作レバー９のコンソールスライドスイッチ９ｂを操作すると、前記コンソールボックス本体７ａが元の位置に移動して前記操作レバー９，９，９が運転者６の操作位置になるように復帰する。
【００１８】
斯くして、前記コンソールボックス７は全ての操作レバー９，９，９，１０，１１，１１を移動させてその操作位置で操作することができ、又、該操作レバー９，９，９，１０，１１，１１の移動は前記コンソールスライドスイッチ９ｂ，９ｂ，９ｂ，１０ｂ，１１ｂ，１１ｂの操作によって自動的に行われるので、運転者６は、前方を見続けた状態で視線をそらすことなく前記操作を行うことができるため、操作レバーの操作性の向上を図ることが可能になると共に、誤操作を防ぎ安全性を向上させることができる。
【００１９】
次に、請求項２記載の発明について説明する。図３に於て、７ｂ，７ｂ、７ｃ，７ｃ、７ｄ，７ｄはコンソールボックス７の上面に設けた該コンソールボックス７の前後移動を微調整して最適位置に調整するための中立位置設定スイッチであり、該中立位置設定スイッチ７ｂ，７ｂ、７ｃ，７ｃ、７ｄ，７ｄは前段、中段及び後段に夫々一対で設けられ、操作者６が例えばその体格に合わせて微調整を行いたい時、又は、作業内容によって前位置又は後位置で作業したい時に前記コンソールボックス７位置を微調整するためのものであり、各一対のスイッチは前進用のスイッチと後進用のスイッチの組合せで構成されている。
【００２０】
次に、請求項３記載の発明について説明する。図４に於て、１４はコンソールボックスであり、該コンソールボックス１４は従来のコンソールボックス（図６に於て１）の操作レバー（図６に於て３，３，３，４，５，５）に代えて形状の異なる操作レバー１５，１５，１５，１６，１７，１７を設けたものであり、該操作レバー１５，１５，１５，１６，１７，１７は該操作レバー１５，１５，１５，１６，１７，１７のノブ１５ａ，１５ａ，１５ａ，１６ａ，１７ａ，１７ａを前段、中段、後段別に異なる形状としたものであり、該形状は例えば同図（ｂ）（イ）に示す円柱状、（ロ）に示す四角柱状、（ハ）に示す球状、（ニ）に示す三角柱状、又は、（ホ）に示すＴ字形状等、種々の形状に形成することが可能である。
【００２１】
斯くして、前記コンソールボックス１４は操作レバー１５，１５，１５，１６，１７，１７のノブ１５ａ，１５ａ，１５ａ，１６ａ，１７ａ，１７ａの形状が、前段、中段、後段で異なることにより、該前段、中段、後段の識別が容易になり、誤操作を防ぎ安全性を向上させることができる。
【００２２】
そして、前記操作レバー１５，１５，１５，１６，１７，１７のノブ１５ａ，１５ａ，１５ａ，１６ａ，１７ａ，１７ａは各操作レバー毎に形状を異ならせても良く、又は、選択された操作レバーのみのノブ形状を異ならせても良く、或いは、任意のグループ別に操作レバーのノブ形状を異ならせることも可能である。
【００２３】
図５は、前記コンソールボックス１４の前段のブーム起伏用操作レバー１５に円柱状のノブ１５ａを取り付け、第１ウインチ用及び第２ウインチ用操作レバー１５，１５に球状のノブ１５ａ，１５ａを取付け、中段の第３ウインチ用の操作レバー１６に三角柱状のノブ１６ａを取り付け、後段の走行用操作レバー１７，１７にＴ字形状のノブ１７ａ，１７ａを取付けた例を示す。このように、作業別に操作レバーのノブ形状を異ならせると、作業別識別が容易になり、誤操作を防ぎ安全性を向上させることができるため作業操作性も向上する。
【００２４】
尚、本発明は、本発明の精神を逸脱しない限り種々の改変を為すことができ、そして、本発明が該改変されたものに及ぶことは当然である。
【００２５】
【発明の効果】
本発明は上記一実施の形態に詳述したように、請求項１記載の発明は、建設機械のコンソールボックスに於て、該コンソールボックスに該コンソールボックスを摺動させるためのスライド機構を設けると共に、前記操作レバーのノブに該スライド機構を作動させるためのコンソールスライドスイッチを配設したので、該コンソールスライドスイッチを操作して、前記コンソールボックスを摺動させ、前記操作レバーを所定の操作位置に移動させることにより、前記コンソールボックスは全ての操作レバーをその操作位置で操作することが可能となり、又、運転者は、前方を見続けたまま視線をそらすことなくレバー操作を行うことが可能となり、操作レバーの操作性の向上を図ることが可能になると共に、誤操作を防ぎ安全性を向上させることができる。
【００２６】
又、請求項２記載の発明は上記コンソールボックスの前後移動の最適位置を調整する中立位置設定スイッチをコンソールボックスに設けたため、運転者の体格等や、作業内容に応じて該コンソールボックスの微調整が可能となり、操作レバーの操作性が格段に向上する。
【００２７】
更に、請求項３記載の発明は、建設機械の運転席の側部に設置され、複数の操作レバーが配置されたコンソールボックスに於て、前記複数の操作レバーのノブ形状を各別に、又は、選択的に、或いは、グループ別に異なった形状に構成したことにより操作レバーの識別が容易になり、誤操作を防ぎ安全性を向上させることができ、操作性も向上する等、正に著大なる効果を奏する発明である。
【図面の簡単な説明】
【図１】（ａ）請求項１記載の本発明の一実施の形態を示し、建設機械の運転席とコンソールボックスの正面図。
（ｂ）前図（ａ）の操作レバーの一部拡大斜視図。
【図２】（ａ）図１に示す建設機械の運転席と、前段の操作レバーが操作位置にあるコンソールボックスの正面図。
（ｂ）図１に示す建設機械の運転席と、中段の操作レバーが操作位置にあるコンソールボックスの正面図。
【図３】請求項２記載の本発明の一実施の形態を示し、建設機械のコンソールボックスの斜視図。
【図４】（ａ）請求項３記載の本発明の一実施の形態を示し、建設機械の運転席とコンソールボックスの正面図。
（ｂ）前図（ａ）の操作レバーに用いられる種々の形状を有するノブの斜視図。
【図５】請求項３記載の本発明の他の実施の形態を示し、建設機械のコンソールボックスの斜視図。
【図６】（ａ）従来例を示し、建設機械の運転席とコンソールボックスの正面図。
（ｂ）前図（ａ）のコンソールボックスの斜視図。
【符号の説明】
２　　　　　　　　　　　運転席
７　　　　　　　　　　　コンソールボックス
７ｂ，７ｃ，７ｄ　　　　中立位置設定スイッチ
８　　　　　　　　　　　スライド機構
９，１０，１１　　　　　操作レバー
９ａ，１０ａ，１１ａ　　ノブ
９ｂ，１０ｂ，１１ｂ　　コンソールスライドスイッチ
１４　　　　　　　　　　コンソールボックス
１５，１６，１７　　　　操作レバー
１５ａ，１６ａ，１７ａ　ノブ
【図１】
2004026440.tif 000003
【図２】
2004026440.tif 000004
【図３】
2004026440.tif 000005
【図４】
2004026440.tif 000006
【図５】
2004026440.tif 000007
【図６】
2004026440.tif 000008